(57)【要約】  【課題】食事制限も、過度の運動も必要とせず、かつ、短期間に、安全にダイエットするための新規ダイエット用具を提供すること。  【解決手段】この発明のダイエット用冷却シートは、体重減少に必要なカロリーを燃焼するのに十分な広い面積、つまり、ヒトの肩を冷やすのに十分な大きさ、好ましくは縦横とも８センチから２０センチからなる冷却シートであって、成分はヒトの熱冷ましに使われる通常の高分子ゲル化剤、例えばポリアクリル酸塩などの粘着剤やグリセリンなどの賦形薬などからなっている。【選択図】なし【特許請求の範囲】
【請求項１】
体重減少に必要なカロリーを燃焼するのに十分な広い面積に使用した熱冷ましに使用される高分子ゲル化剤からなることを特徴とするダイエット用具。
【請求項２】
請求項１に記載のダイエット用具において、前記面積が人の肩部の面積に相当することを特徴とするダイエット用具。
【請求項３】
請求項１または２に記載のダイエット用具において、前記ダイエット用具がシート状であることを特徴とするダイエット用具。
【請求項４】
請求項１ないし３のいずれか１項に記載のダイエット用具において、前記ダイエット用具が、内部に前記高分子ゲル化剤を入れた袋状になっていることを特徴とするダイエット用具。
【請求項５】
請求項４に記載のダイエット用具において、前記袋状のダイエット用具が、その一面に粘着剤が塗布されていることを特徴とするダイエット用具。
【請求項６】
請求項１ないし５のいずれか１項に記載のダイエット用具において、前記ダイエット用具が縦横８ｃｍないし２０ｃｍのシート状であることを特徴とするダイエット用具。
【請求項７】
請求項１ないし６のいずれか１項に記載のダイエット用具において、前記高分子ゲル化剤が７０重量％以上の水分を含有していることを特徴とするダイエット用具。
【請求項８】
請求項１ないし７のいずれか１項に記載のダイエット用具において、前記ダイエット用具が冷却シートからなることを特徴とするダイエット用具。
【発明の詳細な説明】
【技術分野】
【０００１】
本発明は、ダイエット用具に関するものであり、更に詳細には、冷却シートを用いたダイエット用用具に関するものである。
【背景技術】
【０００２】
体型をスリムにすることは、肥満防止からも、また健康上からも美容上からも関心をもたれ、多くのダイエット方法が報告されている。最近は、特に過度な運動や無理な食事制限をしなくとも無理なくダイエットできる栄養分の吸収を阻害する、所謂カロリーカットの機能性食品が多く考案され市場にでている。しかしながら、カロリーカットの機能食品によるダイエットは、安全性は高いものの即効性には欠けるという欠点を有している。
従来のダイエット方法には、即効性があって、運動も食事制限も必要無く、もちろん安全性も非常に高いというものは無かった。
【０００３】
一方、日本人の１日の最低栄養量は１４００キロカロリー程度であるのに対して、北極地方等に生活するエスキモー人や北極地方に長期滞在するヒトの場合には、１日のカロリー摂取量が約４５００キロカロリーと、異常に多くのカロリーを摂取しないと健康に暮らせないことが知られている。これは、外気の低温に適応するために体が多量に体内の脂肪を燃焼させて、体温を保つために必要な現象と解釈されている。
そこで、外気温を感じているのは、ヒトの肩周辺の神経末端であって、ここを冷やすと、外気が寒いと体が錯覚して体脂肪を燃焼させ、これによって短期間にカロリーを消費して体重を減少することができることのではないかとの考えられるようになってきた。
【発明の開示】
【発明が解決しようとする課題】
【０００４】
従って、本発明は、即効性があって、運動も食事制限も必要無く、かつ、安全性も高いという新規ダイエット用具を提供することを目的とする。
上記課題を解決する為、鋭意検討した結果、肩を冷やすのに十分な大きさ、好ましくは縦横とも約８センチから約２０センチの冷却シートであって、成分がヒトの熱冷ましに使われる、水分含量が約７０重量％以上の高分子ゲル化剤を含み、その片面に粘着剤を塗布した不織布の繊維からなる通常の冷却シートを肩部一面に貼付することによって所望のダイエット効果を達成することができることを見出して、この発明を完成するに到った。
【課題を解決するための手段】
【０００５】
したがって、この発明は、通常熱冷ましに使用される高分子ゲル化剤を、体重減少に必要なカロリーを燃焼するのに十分な広い面積、好ましくは人の肩部の面積に相当する範囲に適用することからなるダイエット用具を提供する。
この発明の好ましい態様としては、該ダイエット用具がシート状であって、該高分子ゲル化剤がその内部に入れた袋状になっているダイエット用具が提供される。また、好ましい別の態様として、該ダイエット用具の一面に粘着剤が塗布されていて、肩部に貼付できるようになっているダイエット用具が提供される。このためには、該ダイエット用具は縦横がそれぞれ約８Ｃｍないし約２０ｃｍのシート状であるのがよい。
【発明を実施するための最良の形態】
【０００６】
この発明に係るダイエット用具は、熱冷ましなどの目的のための高分子ゲル化剤からなる冷却シートを、体重減少に必要なカロリーを燃焼するのに十分な広い面積を覆うように構成したものである。つまり、体重減少に必要なカロリーを燃焼させるためには、人の肩部の面積に相当する面積が必要であることから、当該冷却シートは、貼付する対象によって変わるけれども、縦横が約８ｃｍないし約２０ｃｍあることが好ましい。また、当該ダイエット用具の形状は、特に限定されるものではないが、肩に貼付することからシート状であるのがよい。更に、当該ダイエット用具は、袋状にして、その内部に該高分子ゲル化剤を入れた形状であって、その片面に粘着剤が塗布されているのが便利である。
【０００７】
その素材は、放湿性を損なわない限り、特に制限されるものではないが、例えば、綿、麻などの天然繊維、レーヨン、アセテート等のセルロース系繊維、ナイロン、スチロール、ポリプロピレン、ポリエチレン、ポリエチレンテレフタレート、アクリル等の合成繊維などの織布もしくは不織布などを使用することができる。
【０００８】
この発明に係るダイエット用具において使用することができる高分子ゲル化剤としては、身体に貼付して熱を発散させて低下させるための冷却シートに用いられているものであればいずれも使用することができ、例えば、ポリアクリル酸塩などの粘着剤とグリセリンなどの賦形薬を２０〜４０重量％配合した含水ゲルや、ポリアクリル酸類を約１〜６０重量％、Ｎ−ビニルアセトアミド重合体を約３０重量％以下配合した冷却用組成物などが例示できる。また、当該高分子ゲル化剤は、水分の気化に伴う気化熱により発熱を奪うことから、含まれる水分量は、一般的には約４０重量％、好ましくは約５０重量％、より好ましくは約７０重量％であるのがよい。
【実施例１】
【０００９】
横１０センチ、縦２０センチの大きさで表面を肌色にした袋状の不織布の片面に粘着剤を張り付け、その内部にはポリアクリル酸類を約３０重量％、グリセリンを約２０重量％、水分５０重量％からなる水溶性高分子ゲルを入れた８時間冷却シートを作製した。
この冷却シートを、被験者１０名に起きている間中、両肩に１枚づつ張り付けるのみで、運動と食事は普段通りにしてもらった。その結果、１ケ月後に体重測定を行ったところ平均で約３ｋｇの体重減少が認められた。なお、そのうちの３名は５ｋｇ以上の顕著な体重減少が観察された。また健康状態になんらかの異常も認められなかった。
【産業上の利用可能性】
【００１０】
この発明に係るダイエット用具は、肩に貼るのみで、食事制限も過度な運動もしなくてよく、楽にしかも迅速且つ短期間にダイエットを実現することができるという大きな利点がある。